(57)【特許請求の範囲】
【請求項１】
可撓性を有するコンタクトピンを備え、一方の電気部品と他方の電気部品とを電気的に接続するための電気部品用ソケットであって、
ソケット本体には、前記コンタクトピンの両端部を係止する係止部を形成し、前記コンタクトピンの上端部には、前記一方の電気部品の電極に接触する上端接触部が、又、前記コンタクトピンの下端部には、前記他方の電気部品の電極に接触する下端接触部が形成されると共に、前記係止部に係止する上部係止部及び下部係止部が形成され、
前記上端接触部及び下端接触部が前記各電気部品に圧接されることにより、前記上端接触部側と前記下端接触部側の両方もしくは少なくともどちらか一方が前記係止部を中心に回動して、前記コンタクトピン全体が弓なりに撓み変形するように設定したことを特徴とする電気部品用ソケット。
【請求項２】
ソケット本体の上部側に上プレートが配設されると共に、該上プレートと前記ソケット本体の底面部との間に、可撓性を有するコンタクトピンが上下方向に沿って配設され、前記上プレートの上側に、一方の電気部品が載置され、又、前記底面部の下側に、他方の電気部品が配置されることにより、前記コンタクトピンを介して前記一方の電気部品と他方の電気部品とが電気的に接続されるようにした電気部品用ソケットであって、
前記上プレートと底面部とには、係止突部が形成される一方、前記コンタクトピンの上端部には、前記一方の電気部品の電極に接触する上端接触部が、又、前記コンタクトピンの下端部には、前記他方の電気部品の電極に接触する下端接触部が形成されると共に、前記両係止突部に係止する上部係止部及び下部係止部が形成され、
前記上端接触部，下端接触部が、前記各電気部品に圧接されることにより、前記上端接触部側と前記下端接触部側の両方もしくは少なくともどちらか一方が、前記係止突部を中心とするように回動して、前記コンタクトピン全体が弓なりに撓み変形するように設定したことを特徴とする電気部品用ソケット。
【請求項３】
ソケット本体の凹部に、複数のアダプタが縦置きで重ね合わせられて配設されると共に、該アダプタに、可撓性を有するコンタクトピンが上下方向に沿って配設され、前記各アダプタの上側に、一方の電気部品が載置され、又、前記各アダプタの下側に、他方の電気部品が配置されることにより、前記コンタクトピンを介して前記一方の電気部品と他方の電気部品とが電気的に接続されるようにした電気部品用ソケットであって、
前記アダプタの上部と下部とには、係止突部が形成される一方、前記コンタクトピンの上端部には、前記一方の電気部品の電極に接触する上端接触部が、又、前記コンタクトピンの下端部には、前記他方の電気部品の電極に接触する下端接触部が形成されると共に、前記両係止突部に係止する上部係止部及び下部係止部が形成され、
前記上端接触部，下端接触部が、前記電気部品に圧接されることにより、前記上端接触部側と前記下端接触部側の両方もしくは少なくともどちらか一方が前記係止突部を中心とするように回動して、前記コンタクトピン全体が弓なりに撓み変形するようにしたことを特徴とする電気部品用ソケット。
【請求項４】
前記各アダプタの間には、互いに嵌合される嵌合手段を設けたことを特徴とする請求項３記載の電気部品用ソケット。
【請求項５】
前記上部係止部及び下部係止部は、前記係止突部が挿入される長孔であることを特徴とする請求項３又は４に記載の電気部品用ソケット。
【請求項６】
前記コンタクトピンの上端接触部，下端接触部の前記各電気部品への接触点と、該両接触部の間の中間部とが平面視でオフセットされていることを特徴とする請求項１乃至５の何れか一つに記載の電気部品用ソケット。
【請求項７】
前記コンタクトピンは、前記上端接触部，下端接触部が、前記電極に圧接されていない状態で、弓なりになっていることを特徴とする請求項１乃至６の何れか一つに記載の電気部品用ソケット。
【発明の詳細な説明】
【０００１】
【発明の属する技術分野】
この発明は、半導体装置（以下「ＩＣパッケージ」という）等の一方の電気部品を着脱自在に保持すると共に、この一方の電気部品と、プリント配線板等の他方の電気部品との電気的接続を図る電気部品用ソケットに関するものである。
【０００２】
【従来の技術】
従来から、この種の「電気部品用ソケット」としては、「一方の電気部品」としてのＩＣパッケージと、「他方の電気部品」としてのプリント配線板との電気的接続を図るＩＣソケットがある。
【０００３】
このＩＣソケットは、ソケット本体側に、導電性及び可撓性を有するコンタクトピンが複数、上下方向に沿って配設されており、このコンタクトピンにより、ソケット本体上に載置されたＩＣパッケージの電極と、この電極に対応するプリント配線板の電極とを導通させて、両者の電気的接続を図るようにしている。
【０００４】
この場合には、電極との接触安定性を図るため、コンタクトピンが弾性変形した状態で、電極に、強過ぎず、且つ、弱過ぎず、所定の圧力で接触されるようにしている。
【０００５】
【発明が解決しようとする課題】
しかしながら、このような従来のものにあっては、コンタクトピンの、ＩＣパッケージやプリント配線板に接触する上端，下端接触部が、細いスリット内で上下変位するようになっており、これら両接触部の間の中間部のみが撓み変形することにより、接触部の上下変位量を確保するようにしているため、接触部を所定量、上下変位させようとすると、コンタクトピンが長くなってしまう。コンタクトピンが長くなると、接続する電気部品が数百ＭＨｚ程度の高速の処理速度を持つものには対応できない。
【０００６】
また、その接触部は、細いスリットに案内されて上下変位するだけであるため、ワイピング効果を発揮することは難しかった。
【０００７】
そこで、この発明は、コンタクトピンをそれ程長くしなくても接触部の変位量を確保でき、高速の処理速度を持つ電気部品にも対応でき、且つ、ワイピング効果も発揮できる電気部品用ソケットを提供することを課題としている。
【０００８】
【課題を解決するための手段】
かかる課題を達成するために、請求項１に記載の発明は、可撓性を有するコンタクトピンを備え、一方の電気部品と他方の電気部品とを電気的に接続するための電気部品用ソケットであって、ソケット本体には、前記コンタクトピンの両端部を係止する係止部を形成し、前記コンタクトピンの上端部には、前記一方の電気部品の電極に接触する上端接触部が、又、前記コンタクトピンの下端部には、前記他方の電気部品の電極に接触する下端接触部が形成されると共に、前記係止部に係止する上部係止部及び下部係止部が形成され、前記上端接触部及び下端接触部が前記各電気部品に圧接されることにより、前記上端接触部側と前記下端接触部側の両方もしくは少なくともどちらか一方が前記係止部を中心に回動して、前記コンタクトピン全体が弓なりに撓み変形するように設定した電気部品用ソケットとしたことを特徴とする。
【０００９】
請求項２に記載の発明は、ソケット本体の上部側に上プレートが配設されると共に、該上プレートと前記ソケット本体の底面部との間に、可撓性を有するコンタクトピンが上下方向に沿って配設され、前記上プレートの上側に、一方の電気部品が載置され、又、前記底面部の下側に、他方の電気部品が配置されることにより、前記コンタクトピンを介して前記一方の電気部品と他方の電気部品とが電気的に接続されるようにした電気部品用ソケットであって、前記上プレートと底面部とには、係止突部が形成される一方、前記コンタクトピンの上端部には、前記一方の電気部品の電極に接触する上端接触部が、又、前記コンタクトピンの下端部には、前記他方の電気部品の電極に接触する下端接触部が形成されると共に、前記両係止突部に係止する上部係止部及び下部係止部が形成され、前記上端接触部，下端接触部が、前記各電気部品に圧接されることにより、前記上端接触部側と前記下端接触部側の両方もしくは少なくともどちらか一方が、前記係止突部を中心とするように回動して、前記コンタクトピン全体が弓なりに撓み変形するように設定した電気部品用ソケットとしたことを特徴とする。
【００１０】
請求項３に記載の発明は、ソケット本体の凹部に、複数のアダプタが縦置きで重ね合わせられて配設されると共に、該アダプタに、可撓性を有するコンタクトピンが上下方向に沿って配設され、前記各アダプタの上側に、一方の電気部品が載置され、又、前記各アダプタの下側に、他方の電気部品が配置されることにより、前記コンタクトピンを介して前記一方の電気部品と他方の電気部品とが電気的に接続されるようにした電気部品用ソケットであって、前記アダプタの上部と下部とには、係止突部が形成される一方、前記コンタクトピンの上端部には、前記一方の電気部品の電極に接触する上端接触部が、又、前記コンタクトピンの下端部には、前記他方の電気部品の電極に接触する下端接触部が形成されると共に、前記両係止突部に係止する上部係止部及び下部係止部が形成され、前記上端接触部，下端接触部が、前記電気部品に圧接されることにより、前記上端接触部側と前記下端接触部側の両方もしくは少なくともどちらか一方が前記係止突部を中心とするように回動して、前記コンタクトピン全体が弓なりに撓み変形するようにした電気部品用ソケットとしたことを特徴とする。
【００１１】
請求項４に記載の発明は、請求項３に記載の構成に加え、前記各アダプタの間には、互いに嵌合される嵌合手段を設けたことを特徴とする。
【００１２】
請求項５に記載の発明は、請求項３又は４に記載の構成に加え、前記上部係止部及び下部係止部は、前記係止突部が挿入される長孔であることを特徴とする。
【００１３】
請求項６に記載の発明は、請求項１乃至５の何れか一つに記載の構成に加え、前記コンタクトピンの上端接触部，下端接触部の前記各電気部品への接触点と、該両接触部の間の中間部とが平面視でオフセットされていることを特徴とする。
【００１４】
請求項７に記載の発明は、請求項１乃至６の何れか一つに記載の構成に加え、前記コンタクトピンは、前記上端接触部，下端接触部が、前記電極に圧接されていない状態で、弓なりになっていることを特徴とする。
【００１５】
【発明の実施の形態】
以下、この発明の実施の形態について説明する。
【００１６】
［発明の実施の形態１］
図１及び図２には、この発明の実施の形態１を示す。
【００１７】
まず構成について説明すると、図１中符号1１は、「電気部品用ソケット」としてのＩＣソケットで、このＩＣソケット１１は、「一方の電気部品」としてのＩＣパッケージ１２の性能試験を行うために、このＩＣパッケージ１２と、「他方の電気部品」としての測定器（テスター）のプリント配線板１３との電気的接続を図るものである。
【００１８】
このＩＣパッケージ１２は、四角形状を呈し、下面には図示していないが複数の電極が形成されている。
【００１９】
一方、前記ＩＣソケット１１は、大略すると、ソケット本体１５上に、上プレート１６が嵌合されて取り付けられ、この上プレート１６とソケット本体１５との間にコンタクトピン１７が配設されると共に、ソケット本体１５にカバー１８が回動自在に取り付けられている。
【００２０】
詳しくは、前記ソケット本体１５には凹所１５ａが形成されると共に、この凹所１５ａの底面部１５ｂには、複数の貫通孔１５ｃが形成されている（なお、図では１ヶ所しか記載していない）。そして、この貫通孔１５ｃに係止突部１５ｄが突設されている。また、このソケット本体１５の上面部側には、前記上プレート１６が嵌合されると共に、この上プレート１６上に載置されたＩＣパッケージ１２を位置決めするガイド１５ｅが上方に向けて突設されている。
【００２１】
また、その上プレート１６にも、前記ソケット本体底面部１５ｂの複数の貫通孔１５ｃに対応した位置に、複数の貫通孔１６ａが形成されると共に、これら貫通孔１６ａに係止突部１６ｂが突設されている。
【００２２】
そして、この上プレート１６の係止突部１６ｂと、前記ソケット本体底面部１５ｂの係止突部１５ｄとの間に、コンタクトピン１７が配設されている。すなわち、これらコンタクトピン１７は、可撓性を有し、導電性を有する材料にて棒状に形成されている。そして、このコンタクトピン１７の上下両端部には、「上部係止部」としての上部Ｕ字状部１７ａ及び、「下部係止部」としての下部Ｕ字状部１７ｂがそれぞれ形成され、その上部Ｕ字状部１７ａに、前記上プレート１６の係止突部１６ｂが上方から挿入されて係止され、又、下部Ｕ字状部１７ｂに、前記ソケット本体底面部１５ｂの係止突部１５ｄが下方から挿入されて係止されている。さらに、この上部Ｕ字状部１７ａから上方に向けて、前記ＩＣソケット１１の電極に接触する上端接触部１７ｃが延長され、又、下部Ｕ字状部１７ｂから下方に向けて、前記プリント配線板１３の電極に接触する下端接触部１７ｄが延長されている。これら上端接触部１７ｃ，下端接触部１７ｄの接触点と、この両接触部１７ｃ，１７ｄの間の中間部１７ｅとが、平面視でオフセットされている。このオフセットの方向は、隣接するコンタクトピン１７同士では同方向に設定されている。しかも、これら上端接触部１７ｃは、ＩＣパッケージ１２の非取付状態で、上プレート１６の上面より上方に突出し、又、これら下端接触部１７ｄは、プリント配線板１３の非取付状態で、ソケット本体底面部１５ｂの下面より下方に突出するように設定されている。
【００２３】
そして、上端接触部１７ｃ，下端接触部１７ｄが、前記電極に圧接されることにより、前記上端接触部１７ｃ側が、係止突部１６ｂを中心とするように回動すると共に、前記下端接触部１７ｄが、係止突部１５ｄを中心とするように回動して、コンタクトピン１７全体が弓なりに撓み変形するようになっている。
【００２４】
さらに、前記カバー１８は、基端部側が回動軸１９によりソケット本体１５に回動自在に取り付けられ、先端部側にストッパー１８ａが軸１８ｂにより回動自在に配設され、このストッパー１８ａの先端部に設けられたフック部１８ｃが、ソケット本体１５に形成された被係止部１５ｆに係止されることにより、カバー１８を閉めた状態が維持されるようになっている。この閉じた状態で、カバー１８に形成された押圧凸部１８ｄで、前記ＩＣパッケージ１２が上方から押圧されるようになっている。
【００２５】
次に、かかる構成より成るＩＣソケット１１の作用について説明する。
【００２６】
図２の（ａ）に示すように、ＩＣソケット１１に、ＩＣパッケージ１２及びプリント配線板１３を取り付けていない状態では、コンタクトピン１７は略直線状態となっている。
【００２７】
この状態から、ソケット本体１５の底面側に、プリント配線板１３を取り付けると、図２の（ｂ）に示すように、コンタクトピン１７の下端接触部１７ｄが、プリント配線板１３に接触して押圧される。これにより、コンタクトピン１７が多少持ち上げられて、上部Ｕ字状部１７ａが上プレート係止突部１６ｂに圧接され、コンタクトピン１７が弓なりに撓むこととなる。
【００２８】
さらに、この状態から、ＩＣパッケージ１２がガイド１５ｅにて位置決めされて上プレート１６上に載置され、カバー１８の押圧凸部１８ｄで押し付けられた状態では、図２の（ｃ）に示すように、このＩＣパッケージ１２にコンタクトピン１７の上端接触部１７ｃが接触して、この上端接触部１７ｃが押圧されることにより、コンタクトピン１７の撓み量が大きくなる。
【００２９】
このようにコンタクトピン１７が撓む場合には、両端接触部１７ｃ，１７ｄが、各係止突部１５ｄ，１６ｂを中心として回動し、コンタクトピン１７全体が弓なりに撓むため、従来のように接触部が細いスリットにて案内されて上下動するものと比較すると、従来より短いコンタクトピン１７で各接触部１７ｃ，１７ｄの接触点の上下移動量を確保することができる。従って、コンタクトピン１７が短い分だけ、ＩＣソケット１１の小型化が図られる。勿論、上下移動量を確保しているため、各接触部１７ｃ，１７ｄのＩＣパッケージ１２への接触安定性を確保することができる。
【００３０】
また、両接触部１７ｃ，１７ｄは、各係止突部１５ｄ，１６ｂを中心に回動するため、両接触部１７ｃ，１７ｄが、ＩＣパッケージ１２やプリント配線板１３の電極を摺動することにより、ワイピング効果が発揮されることとなる。
【００３１】
さらに、コンタクトピン１７は、各接触部１７ｃ，１７ｄの接触点が、中間部１７ｅに対してオフセットされているため、これら各接触部１７ｃ，１７ｄに軸方向（上下方向）の外力が作用することにより、その中間部１７ｅには曲げモーメントが作用することから、この中間部１７ｅは常に同じ方向に撓むこととなる。従って、隣接するコンタクトピン１７同士で、同じ方向に撓むように設定することにより、各コンタクトピン１７が不用意に接触してしまうようなことがなく、コンタクトピン１７に絶縁部材を配設することなく、接近させて配設することができる。
【００３２】
［発明の実施の形態２］
図３乃至図６には、この発明の実施の形態２を示す。
【００３３】
この実施の形態２は、ソケット本体１５の凹所１５ａに、第１，第２，第３アダプタ２１，２２，２３が縦置きで重ね合わせられて収納され、これらアダプタ２１，２２，２３に複数のコンタクトピン１７が配設されている。
【００３４】
すなわち、第１アダプタ２１は、１ヶ所設けられ、図４に示すように、他のアダプタ２２，２３より長さＬが長く形成され、ソケット本体１５に形成された切欠き部１５ｇに係合されて所定の位置に取り付けられるようになっている。
【００３５】
また、第２アダプタ２２は、第１アダプタ２１より短く、この第１アダプタ２１の両側に配置されるようになっている。
【００３６】
これら第１,第２アダプタ２１，２２には、コンタクトピン１７が配設される配設凹部２１ａ,２２ａが形成され、この凹部２１ａ，２２ａには、上部側と下部側とにコンタクトピン１７を係止する係止突部２１ｂ，２２ｂが突設されている。この係止突部２２ｂは、図６に示すように、他のアダプタ２２の側面に付き当てるようにしても良いし、又は、他のアダプタ２１の嵌合凹部２１ｃに嵌合させるようにすることもできる。この嵌合凹部２１ｃと係止突部２２ｂとで「嵌合手段」が構成されている。
【００３７】
さらに、第３アダプタ２３は、端部に配設された第２アダプタ２２と、ソケット本体凹所１５ａ側壁面との間に挿入されることにより、当該第２アダプタ２２に係止されたコンタクトピン１７が外れたり、この第２アダプタ２２がガタ付いたりするのを防止するようにしている。
【００３８】
しかも、図３及び図４に示すように、固定キー２４をソケット本体１５及び各アダプタ２１，２２，２３に貫通させ、これら係止切欠き部２１ｄ，２２ｄ，２３ｄに係止させることにより、各アダプタ２１，２２，２３の外れを防止するようにしている。
【００３９】
このようにすれば、各アダプタ２１，２２，２３を交換することにより、コンタクトピン１７の配置や数を任意に変更することが出来る。
【００４０】
また、コンタクトピン１７をソケット本体１５の外側で各アダプタ２１，２２，２３にセットした後、ソケット本体１５の凹所１５ａに配置できるため、コンタクトピン１７の配設作業性が向上することとなる。
【００４１】
他の構成及び作用は、実施の形態１と同様であるので説明を省略する。
【００４２】
［発明の実施の形態３］
図７には、この発明の実施の形態３を示す。
【００４３】
この実施の形態３は、コンタクトピン１７の上部側と下部側とに、それぞれ、「上部係止部」としての上部長孔１７ｆ、「下部係止部」としての下部長孔１７ｇが形成され、これら長孔１７ｆ，１７ｇにアダプタ２２の係止突部２２ｂが挿入されることにより、コンタクトピン１７が係止されるようになっている。
【００４４】
このようにすれば、上記各実施の形態１，２のように、上方又は下方が開放された上部Ｕ字状部１７ａ，下部Ｕ字状部１７ｂと異なり、強度が向上することとなる。
【００４５】
また、コンタクトピン１７の各接触部１７ｃ，１７ｄがＩＣパッケージ１２やプリント配線板１３で押圧されて、このコンタクトピン１７が撓むことにより、上部長孔１７ｆの上縁部及び、下部長孔１７ｇの下縁部が係止突部２２ｂに接触すると、コンタクトピン１７の撓みが停止され、押し過ぎが防止されることとなる。
【００４６】
他の構成は、実施の形態２と同様であるので説明を省略する。
【００４７】
［発明の実施の形態４］
図８には、この発明の実施の形態４を示す。
【００４８】
この実施の形態４は、ＩＣパッケージ１２及びプリント配線板１３の取付前の状態、つまり、コンタクトピン１７の上下端接触部１７ｃ，１７ｄに外力が作用していない状態で、コンタクトピン１７の中間部１７ｅが弓なりとなるように設定されている。
【００４９】
このようにコンタクトピン１７の中間部１７ｅを当初より弓なりにすることにより、この曲率を調整すれば、両接触部１７ｃ，１７ｄへの反発力の調整を行うことが出来ると共に、両接触部１７ｃ，１７ｄに外力が作用する初期の段階でも、前記各実施の形態のように直線状態のものと比較すると、より撓み易いことから、ＩＣパッケージ１２及びプリント配線板１３への押圧力の変化を、初期段階と終了時点とで小さくできるため、ＩＣパッケージ１２及びプリント配線板１３やコンタクトピン１７へ無理な力が作用することがない。
【００５０】
さらに、各コンタクトピン１７が同じ方向に弓なりとなっているため、各接触部１７ｃ，１７ｄと中間部１７ｅとがオフセットされていることと相まって、より確実に、同方向に撓むようにすることができる。
【００５１】
他の構成は、実施の形態３と同様であるので説明を省略する。
【００５２】
なお、上記各実施の形態では、「電気部品用ソケット」としてＩＣソケット１１に、この発明を適用したが、これに限らず、他の装置にも適用できることは勿論である。
【００５３】
【発明の効果】
以上説明してきたように、各請求項に記載の発明によれば、両電気部品を取り付けることにより、コンタクトピンの両接触部が押圧されると、この両接触部が係止部又は係止突部を中心に回動し、コンタクトピン全体が弓なりになるため、従来のように接触部が細いスリットにて案内されて上下動するものと比較すると、従来より短いコンタクトピンで各接触部の接触点の上下移動量を確保することができる。従って、コンタクトピンが短い分だけ、電気部品用ソケットの小型化を図ることができる。勿論、上下移動量を確保しているため、各接触部の電気部品への接触安定性を確保することができる。また、接続する電気部品が数百ＭＨｚ程度の超高速の処理速度を持つものにも対応することができる。
【００５４】
さらに、両接触部は、各係止部又は係止突部を中心に回動するため、両接触部が、電気部品の電極を摺動することにより、ワイピング効果を発揮させることができる。
【００５５】
請求項３に記載の発明によれば、上記効果に加え、アダプタを交換することにより、コンタクトピンの配置や数を任意に変更することができる。また、コンタクトピンをソケット本体の外側でアダプタにセットした後、ソケット本体に配置できるため、コンタクトピンの配設作業性を向上させることができる。
【００５６】
請求項４に記載の発明によれば、上記効果に加え、各アダプタの間に嵌合手段を設けることにより、これらアダプタの組み付け作業性を向上させることができる。
【００５７】
請求項５に記載の発明によれば、上記効果に加え、上部係止部及び下部係止部は、係止突部が挿入される長孔とすることにより、上方又は下方が開放されたものより、この長孔が形成された部分の強度を向上させることができる。また、コンタクトピンの各接触部が電気部品で押圧されて、このコンタクトピンが撓むことにより、長孔の上縁部及び下縁部が係止突部に接触すると、コンタクトピンの撓みが停止され、押し過ぎが防止できる。
【００５８】
請求項６に記載の発明によれば、上記効果に加え、コンタクトピンの上端接触部，下端接触部と、該両接触部の間の中間部とがオフセットされているため、これら各接触部に上下方向の外力が作用することにより、その中間部には曲げモーメントが作用することから、この中間部は常に同じ方向に撓むこととなる。従って、隣接するコンタクトピン同士で、同じ方向に撓むように設定することにより、各コンタクトピンが不用意に接触してしまうようなことがなく、コンタクトピンに絶縁部材を配設することなく、接近して配設することができる。
【００５９】
請求項７に記載の発明によれば、上記効果に加え、コンタクトピンの中間部を当初より弓なりにすることにより、この曲率を調整すれば、両接触部への反発力の調整を行うことができる。また、コンタクトピンの中間部を当初より弓なりにすることにより、両接触部に外力が作用する初期の段階でも、直線状態のものと比較すると、より撓み易いことから、電気部品への押圧力の変化を、初期段階と終了時点とで小さくできるため、コンタクトピンや電気部品へ無理な力が作用することがない。さらに、各コンタクトピンを同じ方向に弓なりとすることにより、常に同方向に撓むようにすることができる、という実用上有益な効果を発揮する。
【図面の簡単な説明】
【図１】この発明の実施の形態１に係るＩＣソケットの縦断面図である。
【図２】同実施の形態１に係るＩＣソケットのコンタクトピンの動きを示す説明図である。
【図３】この発明の実施の形態２に係る図１に相当する縦断面図である。
【図４】同実施の形態２に係るアダプタ配設状態を示す平面図である。
【図５】同実施の形態２に係るコンタクトピンの配設状態を示す断面図である。
【図６】同実施の形態２に係るアダプタの嵌合状態を示す断面図である。
【図７】この発明の実施の形態３に係るコンタクトピンの配設状態を示す断面図である。
【図８】この発明の実施の形態４に係るコンタクトピンの配設状態を示す断面図である。
【符号の説明】
11  ＩＣソケット（電気部品用ソケット）
12  ＩＣパッケージ（一方の電気部品）
13  プリント配線板（他方の電気部品）
15  ソケット本体
15a 凹所
15b 底面部
15d 係止突部（係止部）
16  上プレート
16b 係止突部
17  コンタクトピン
17a 上部Ｕ字上部（上部係止部）
17b 下部Ｕ字上部（下部係止部）
17c 上端接触部
17d 下端接触部
17e 中間部
17f 上部長孔（上部係止部）
17g 下部長孔（下部係止部）
21  第１アダプタ
22  第２アダプタ
21b,22b 係止突部
【図１】
0003913323.tif 000002
【図２】
0003913323.tif 000003
【図３】
0003913323.tif 000004
【図４】
0003913323.tif 000005
【図５】
0003913323.tif 000006
【図６】
0003913323.tif 000007
【図７】
0003913323.tif 000008
【図８】
0003913323.tif 000009